(57)【要約】 【課題】  ムービングプレートによる信頼性の高い係止構造を実現する。【解決手段】  雄ハウジング３０のフード部３５内には、保持位置と保持解除位置との間を移動可能なムービングプレート５０が収容されている。ムービングプレート５０の前面の中央部には受け部５２が一つ設けられ、フード部３５の奥面には、ムービングプレート５０の挿通孔６４を貫通して先端部が受け部５２と係合するよう撓み変形可能に突出する係止部４２が設けられている。係止部４２と受け部５２とが弾性係止することで、保持位置におけるムービングプレート５０の保持解除位置への移動が規制される。両ハウジング１０，３０の嵌合開始時に、雌ハウジング１０の前面に設けられた解除部２２が係止部４２と当接して係止部４２を受け部５２から解離させる。【選択図】  図１０
2006172825.tif 000002
【特許請求の範囲】
【請求項１】
フード部内に雄端子金具のタブを包囲した雄ハウジングと、
前記フード部内に収容され、前記タブを貫通させた状態でそのタブの先端部に嵌合する保持位置と基端部に嵌合する保持解除位置との間を移動可能なムービングプレートと、
前記フード部内に進入して前記保持位置における前記ムービングプレートを前記保持解除位置へ押し動かしつつ前記雄ハウジングとの嵌合状態に至る雌ハウジングとを備えたコネクタであって、
前記ムービングプレートの嵌合面の中央部には受け部が設けられ、前記フード部の奥面には、先端部が前記ムービングプレートの嵌合面に臨むよう前記受け部側へ突出する係止部が撓み変形可能に設けられ、前記係止部と前記受け部とが弾性係止することで、前記保持位置における前記ムービングプレートの前記保持解除位置への移動が規制されるようになっており、かつ、
前記雌ハウジングの嵌合面には解除部が設けられ、両ハウジングの嵌合開始時に、前記解除部が前記係止部の先端部と当接して同係止部を前記受け部から解離する方向へ撓ませることにより、前記ムービングプレートの前記保持解除位置への移動が許容される構成としたことを特徴とするコネクタ。
【請求項２】
前記ムービングプレートの周縁部には、前記フード部の内周面に設けられた補助受け部と弾性係合可能な補助係止部が設けられ、前記係止部を前記受け部から解離させた状態で、前記ムービングプレートを前記保持解除位置へ押し動かすことにより、前記補助係止部と前記補助受け部とによる係止状態を解除する構成としたことを特徴とする請求項１に記載のコネクタ。
【請求項３】
前記フード部の奥面には、前記雌ハウジングが正規姿勢をとるときには前記両ハウジングの嵌合を許容し、前記雌ハウジングが正規姿勢をとらないときには前記両ハウジングの嵌合を規制する誤結防止部が突出して設けられ、前記ムービングプレートには、前記誤結防止部の貫通を許容する挿通孔が設けられており、かつ、
前記係止部は、前記誤結防止部と並んで配されてこの誤結防止部とともに前記挿通孔を貫通する構成としたことを特徴とする請求項１または請求項２に記載のコネクタ。
【発明の詳細な説明】
【技術分野】
【０００１】
本発明は、ムービングプレートを備えたコネクタに関する。
【背景技術】
【０００２】
ムービングプレートを備えたコネクタとして、以下の特許文献１に記載のものが知られている。このものは、雄ハウジングのフード部内にムービングプレートを前後移動可能に設け、ムービングプレートがフード部の開口側（前側）の保持位置にある状態では、ムービングプレートの位置決め孔がタブの前端部に嵌合することによってタブの上下左右方向への位置決めを行い、フード部に雌ハウジングが嵌合する過程では、雌ハウジングがムービングプレートをフード部の奥側（後側）へ押し動かして両端子金具の接続が開始されるようになっている。
かかるコネクタでは、保持位置におけるムービングプレートの前後移動を規制するために、ムービングプレートの前後両端に係止する突起がフード部の内周面に設けられている。そして、雌ハウジングをフード部内に進入させた後、雌ハウジングに対して突起の係止力を上回る嵌合操作力を付与することにより、ムービングプレートが突起から解離してフード部の奥側へ移動するようになっている。
【特許文献１】実公平５−１２９５３号公報
【発明の開示】
【発明が解決しようとする課題】
【０００３】
ところで、上記の場合、フード部の内周面における突起の係止面がムービングプレートの移動方向に沿ったテーパ状のセミロック構造として構成されており、これにより、雌ハウジングを軽く押し込むだけで突起の係止が比較的簡単に解除できるようになっている。
しかし、かかるセミロック構造の場合には、両ハウジングの嵌合前に、突起の係止が不用意に外れてムービングプレートが移動し、タブの先端部がフリーになる懸念がある。
【０００４】
本発明は上記のような事情に基づいて完成されたものであって、ムービングプレートによる信頼性の高い係止構造を実現することを目的とする。
【課題を解決するための手段】
【０００５】
上記の目的を達成するための手段として、請求項１の発明は、フード部内に雄端子金具のタブを包囲した雄ハウジングと、前記フード部内に収容され、前記タブを貫通させた状態でそのタブの先端部に嵌合する保持位置と基端部に嵌合する保持解除位置との間を移動可能なムービングプレートと、前記フード部内に進入して前記保持位置における前記ムービングプレートを前記保持解除位置へ押し動かしつつ前記雄ハウジングとの嵌合状態に至る雌ハウジングとを備えたコネクタであって、前記ムービングプレートの嵌合面の中央部には受け部が設けられ、前記フード部の奥面には、先端部が前記ムービングプレートの嵌合面に臨むよう前記受け部側へ突出する係止部が撓み変形可能に設けられ、前記係止部と前記受け部とが弾性係止することで、前記保持位置における前記ムービングプレートの前記保持解除位置への移動が規制されるようになっており、かつ、前記雌ハウジングの嵌合面には解除部が設けられ、両ハウジングの嵌合開始時に、前記解除部が前記係止部の先端部と当接して同係止部を前記受け部から解離する方向へ撓ませることにより、前記ムービングプレートの前記保持解除位置への移動が許容される構成としたところに特徴を有する。
【０００６】
請求項２の発明は、請求項１に記載のものにおいて、前記ムービングプレートの周縁部には、前記フード部の内周面に設けられた補助受け部と弾性係合可能な補助係止部が設けられ、前記係止部を前記受け部から解離させた状態で、前記ムービングプレートを前記保持解除位置へ押し動かすことにより、前記補助係止部と前記補助受け部とによる係止状態を解除する構成としたところに特徴を有する。
【０００７】
請求項３の発明は、請求項１または請求項２に記載のものにおいて、前記フード部の奥面には、前記雌ハウジングが正規姿勢をとるときには前記両ハウジングの嵌合を許容し、前記雌ハウジングが正規姿勢をとらないときには前記両ハウジングの嵌合を規制する誤結防止部が突出して設けられ、前記ムービングプレートには、前記誤結防止部の貫通を許容する挿通孔が設けられており、かつ、前記係止部は、前記誤結防止部と並んで配されてこの誤結防止部とともに前記挿通孔を貫通する構成としたところに特徴を有する。
【発明の効果】
【０００８】
＜請求項１の発明＞
ムービングプレートがタブの先端部に嵌合する保持位置にあるときには、ムービングプレートの先端部に設けられた受け部に、フード部の奥面から突出する撓み変形可能な係止部が弾性係合することで、ムービングプレートの保持解除位置への移動が規制されるから、セミロック構造よりも高い保持力を得ることができ、両ハウジングの嵌合前に、保持位置におけるムービングプレートが不用意に保持解除位置へ移動するのを防止できる。
しかも、受け部がムービングプレートの嵌合面の中央部に設けられているから、受け部を一つだけ設ければ係止部との間にバランスのよい係止構造を実現でき、ムービングプレートの周縁部に複数の受け部を設けなくて済む。
一方、フード部内に雌ハウジングが進入することで、係止部が雌ハウジングの嵌合面に設けられた解除部と当接して受け部から解離する方向へ撓み変形されるから、係止部と受け部とによる係止状態を簡単に解除できる。
【０００９】
＜請求項２の発明＞
係止部を受け部から解離させた状態で、ムービングプレートを保持解除位置へ動かすことにより、ムービングプレートの周縁部に設けられた補助係止部と、フード部の内周面に設けられた補助受け部とによる係止状態を解除するから、ムービングプレートが不用意に保持解除位置へ移動するのを確実に防止できる。
【００１０】
＜請求項３の発明＞
フード部の奥面には誤結防止部が突出して設けられ、係止部が誤結防止部と並んで配されて誤結防止部とともにムービングプレートに設けられた挿通孔を貫通するようになっているから、係止部と誤結防止部の双方が一つの挿通孔を共有でき、ムービングプレートの小型化を図れる。
【発明を実施するための最良の形態】
【００１１】
＜実施形態１＞
本発明の実施形態１を図１ないし図１１によって説明する。本実施形態のコネクタは、互いに嵌合可能な雌ハウジング１０と雄ハウジング３０とを備え、雄ハウジング３０にはムービングプレート５０が装着されている。なお、以下の説明において、前後方向については両ハウジング１０，３０の嵌合面側を前方とし、上下方向については図１を基準とする。
【００１２】
雌ハウジング１０は、上下方向に細長い樹脂製のハウジング本体１１と、ハウジング本体１１の前面を除いた部分をすっぽりと覆うようにしてハウジング本体１１の後方から被せ付けられるゴム製のグロメット１２と、このグロメット１２の外側に装着される樹脂製のグロメットカバー１３と、グロメットカバー１３の外側に装着されて両ハウジング１０，３０の嵌合操作を行うレバー１４とからなる。
【００１３】
グロメット１２には、ハウジング本体１１の後面から引き出された電線群（図示せず）を通す電線導出部１５が下方へ突出して設けられ、引き出された電線群が束になって下方へ案内されるようになっている。グロメット１２の前端部は、ハウジング本体１１の前縁外周を取り囲んでおり、ハウジング本体１１に突設された引掛突部１６に嵌合してそこに掛け止めされている。かかるグロメット１２は、両ハウジング１０，３０が正規嵌合されたときに、雄ハウジング３０側にも密着して両ハウジング１０，３０間のシールをとるようになっている。
グロメットカバー１３は、ハウジング本体１１との間にグロメット１２を挟んだ状態で引掛突部１６に掛け止めされている。グロメットカバー１３の両側面の高さ方向ほぼ中央部には、レバー１４を回動可能に支持するための一対の軸部１７が突設されている。
【００１４】
レバー１４は、全体として門型に形成されており、一対のアーム部１４Ａが連結部１４Ｂの両端から平行に突出した形態とされている。両アーム部１４Ａには、図２に示すように、雄ハウジング３０側に設けられたフォロワピン３１が進入可能なカム溝１４Ｅが設けられている。カム溝１４Ｅの入り口は、レバー１４を回動させる前の状態では前方を向いており、ここにフォロワピン３１を進入させた状態からレバー１４を回動操作することにより、フォロワピン３１がカム溝１４Ｅに沿って移動するとともに、そのカム作用によって両ハウジング１０，３０の嵌合動作が進行するようになっている。両アーム部１４Ａには、グロメットカバー１３の軸部１７に嵌められる軸孔１４Ｆが設けられている。
【００１５】
ハウジング本体１１は、図１に示すように、正面から見て右半部分に、上下方向に一列となって並ぶ多数のキャビティ１８が設けられるとともに、正面から見て左半部分に、上下二段に分かれて前後両面に開口する枠状の組付部１９が設けられている。両組付部１９には、ブロック状のサブコネクタ２０が嵌め込まれている。サブコネクタ２０の内部にも多数のキャビティ１８が形成され、各キャビティ１８内に、電線２４の端末に固着された雌端子金具２５が収容されている。各キャビティ１８の内壁には、雌端子金具２５を抜け止め保持するためのランス２７が片持ち状かつ撓み可能に設けられている。
【００１６】
ハウジング本体１１の前面の中央部には、両組付部１９の間に位置するようにして、雄ハウジング３０側との干渉を回避するための逃がし凹部２３が設けられている。逃がし凹部２３の前縁のうち正面から見た右上の一角には、ムービングプレート５０の保持状態を解除するための解除部２２が設けられている。解除部２２は、ハウジング本体１１の前端部において逃がし凹部２３側へ突出して形成されている。解除部２２の後面はテーパ状をなし、これに対応するハウジング本体１１の後面には型抜き孔２１が開口して形成されている。また、逃がし凹部２３のうち正面から見た左端側には、雄ハウジング３０に設けられた誤結防止部３２（後述する）の進入を許容する誤結防止溝２６が形成されている。
【００１７】
続いて、雄ハウジング３０について説明する。この雄ハウジング３０は、合成樹脂材によって一体に形成され、図３に示すように、上下方向に細長いブロック状の端子収容部３３とこの端子収容部３３よりも一回り大きく形成されて前方へ開口する略角筒状のフード部３５とを備えて構成されている。端子収容部３３は、上記ハウジング本体１１と対応するよう、正面から見た左半部分に、上下方向に一列となった多数のキャビティ３４が並設されるとともに、正面から見て右半部分に、上下二段に分かれて前後方向に開口する枠状の組付部３６が設けられている。両組付部３６には、ブロック状のサブコネクタ３７が嵌め込まれ、サブコネクタ３７の内部に形成された各キャビティ３４内に、電線３８の端末に固着された雄端子金具３９が収容されている。雄端子金具３９の先端部には、前方へ突出するタブ４０が備えられ、両ハウジング１０，３０の嵌合前にはムービングプレート５０によってタブ４０の変形が防止されるようになっている。キャビティ３４の内壁には、雄端子金具３９を抜け止め保持するランス６２が片持ち状かつ撓み可能に設けられている。端子収容部３３の前面の上下端には、図７に示すように、ムービングプレート５０の取付部５１（後述する）が嵌入可能な一対の案内溝４１が切り込み形成されている。
【００１８】
また、端子収容部３３の前面の中央部より少し一側に寄った位置には、雌ハウジング１０が正規姿勢をとって嵌合されようとするときに雌ハウジング１０の誤結防止溝２６に進入するが、雌ハウジング１０が正規姿勢をとらずに嵌合されようとするときに雌ハウジング１０の前面に突き当たってその嵌合動作を規制する誤結防止部３２が設けられている。誤結防止部３２は、略角棒状をなして端子収容部３３の前面から前方へ向けて突出して設けられている。かかる誤結防止部３２は、雌ハウジング１０の誤結防止溝２６に沿って移動することで雌ハウジング１０を正規嵌合位置へ案内するガイドを兼ねて構成されている。
【００１９】
また、端子収容部３３の前面の中央部、言い換えればフード部３５の奥面の中央部には、誤結防止部３２の正面から見た左辺側の根元を基端部として前方へ突出する係止部４２が設けられている。係止部４２は、基端部を支点とした片持ち状で左右方向（幅方向）に撓み変形可能とされ、誤結防止部３２との間に撓み空間を保有しつつ自然状態では誤結防止部３２と平行に配されている。この係止部４２は、上下方向に幅広でかつ前後方向に延びる係止本体４３とこの係止本体４３の自由端側にて幅方向外向きに突出する係止突起４４とからなり、係止突起４４がムービングプレート５０の受け部５２（後述する）に弾性係止することで、ムービングプレート５０がフード部３５の奥側へ移動するのが規制されるようになっている。
【００２０】
係止突起４４の前面は、図３に示すように、受け部５２と係止可能な係止領域４４Ｂと解除部２２と当接可能な解除領域４４Ａとに分かれて構成されている。詳しくは、係止領域４４Ｂは係止部４２の前面のうちの下側略３分の２の領域を占有し、解除領域４４Ａは係止部４２の前面のうちの上側略３分の１の領域を占有している。係止突起４４の係止領域４４Ｂは、図９に示すように、突出端側へ行くに従って前方へ傾斜する逆テーパ面とされており、受け部５２との係止力を高めた構造となっている。一方、係止突起４４の解除領域４４Ａは、突出端側へ行くに従って後方へ傾斜するテーパ面とされており、ここに両ハウジング１０，３０の嵌合開始時に解除部２２が当接することで受け部５２から容易に解離できるようになっている。
【００２１】
フード部３５の内周面のうち長辺側の両側面には、高さ方向ほぼ中央部に、一対のフォロワピン３１が突設されている。そして、フード部３５の内周面においてフォロワピン３１より後方には、後述するように、ムービングプレート５０に設けられた弾性係合片５３（本発明の補助係止部に相当）と弾性係合してムービングプレート５０を保持位置に留め置く一対の第一係合受け部４５（本発明の補助受け部に相当）が対称状に凹設されている。第一係合受け部４５の前面は、嵌合方向と直交する方向に延びる垂直面とされ、第一係合受け部４５の後面は、嵌合方向に沿って傾斜するテーパ面とされている。また、フード部３５の内周面において第一係合受け部４５より後方には、第一係合受け部４５を乗り越えたあと復元する弾性係合片５３が進入可能な一対の第二係合受け部４６が対称状に凹設されている。第二係合受け部４６の前面は、嵌合方向に沿った緩やかなテーパ面とされ、第二係合受け部４６の後面は、嵌合方向と直交する方向に延びる垂直面とされている。
【００２２】
続いて、ムービングプレート５０について説明する。ムービングプレート５０は、合成樹脂材によって形成され、図４に示すように、雄ハウジング３０のフード部３５内にほぼ緊密に嵌合可能な上下方向に細長い平板状のプレート本体５４を備えて構成されている。ムービングプレート５０は、前方からフード部３５内に組み付けられ、フード部３５の長さ方向途中の保持位置（図９を参照）と、フード部３５の奥側（後側）の保持解除位置との間を前後方向つまり両ハウジング１０，３０の嵌合方向に移動可能となっている。フード部３５内に雌ハウジング１０が進入して奥側へ移動すると、雌ハウジング１０の前面とムービングプレート５０の前面（嵌合面）とが当接した状態で、保持位置におけるムービングプレート５０が保持解除位置へ押し動かされるようになっている。
【００２３】
プレート本体５４の周縁部には前方へ突出する側壁５５が設けられ（図９参照）、この側壁５５の前縁には径方向外向きに突出するフランジ部５６が連設されている。フランジ部５６の四角からは張出部５７が前方へ突出して設けられている。張出部５７は、丸みを帯びたフランジ部５６の四角に沿うような弧状をなし、フード部３５の内周面と緊密に嵌合してムービングプレート５０の姿勢が前後方向に傾くのを防止している。また、プレート本体５４の後面の上下周縁からは後方へ突出する取付部５１が設けられている。両取付部５１は、端子収容部３３の対応する案内溝４１に嵌め入れられ、ムービングプレート５０の移動時には案内溝４１に沿って移動可能となっている。また、取付部５１の周囲にはシール栓７０がフランジ部５６の後面に当接するよう嵌着され、このシール栓７０がフード部３５の内周面の奥端に密着してこの間のシールがとられるようになっている。取付部５１に嵌着されたシール栓７０の外周面は、張出部５７の外周面とほぼ面一で揃えられる。
【００２４】
また、フランジ部５６の長辺側の両側縁には、図５に示すように、上下一対ずつ全部で二対の弾性係合片５３が前方へ突出して設けられている。上下一対の弾性係合片５３の間には、両弾性係合片５３との間にスリット５８を介して前方へ突出する突縁部５９が設けられている。突縁部５９の突出端は、弧状をなし、その中央部に設けられた切り欠き６０によって上下に分断されている。ムービングプレート５０をフード部３５内に装着する際には、切り欠き６０を通してフォロワピン３１が逃がされるようになっている。
【００２５】
各弾性係合片５３は、互いに同形同大で嵌合中心を挟んだ対称位置に設定されており、フランジ部５６の両側縁を基端として撓み変形可能に設けられている。弾性係合片５３の先端部には、幅方向外向きに突出する係合突起５３Ａが設けられている。係合突起５３Ａが第一係合受け部４５に嵌まることでムービングプレート５０が保持位置に留め置かれ、係合突起５３Ａが第二係合受け部４６に嵌まることでムービングプレート５０が保持解除位置に留め置かれるようになっている。係合突起５３Ａの後面は、突出端に行くに従って前方に傾くテーパ面とされている。したがって、係合突起５３Ａと第一係合受け部４５の係止構造は、テーパ面同士が当接し合うことによるセミロック構造となるので、雌ハウジング１０をフード部３５内に軽く押し込めば、ムービングプレート５０の保持解除位置への移動が可能なようになっている。
【００２６】
プレート本体５４には、端子収容部３３の各キャビティ３４と対応する位置に、多数のタブ貫通孔６３が板厚方向（前後方向）に貫通して設けられている。ムービングプレート５０が保持位置にある状態では、タブ貫通孔６３が雄端子金具３９のタブ４０の先端部と嵌合することで、タブ４０の上下左右方向の遊動が規制されるようになっている。一方、ムービングプレート５０が保持解除位置に移動した状態では、タブ貫通孔６３がタブ４０の基端部に嵌合するとともに、タブ４０の先端部が雌端子金具２５と接続するようになっている。
【００２７】
また、プレート本体５４には、その中央部より正面から見て右側に延びるようにして、誤結防止部３２と係止部４２の挿通を許容する挿通孔６４が形成されている。プレート本体５４の挿通孔６４は誤結防止部３２と係止部４２とがちょうど通ることが可能な程度の大きさと形状をもって開口しており、この挿通孔６４を貫通した誤結防止部３２は雌ハウジング１０の誤結防止溝２６に進入する構成となっている。
そして、プレート本体５４の前面における高さ方向及び幅方向の中央部には、正面から見た挿通孔６４の左側縁から下縁にかけた部分に沿いつつ前方へ突出する受け部５２が設けられている。受け部５２の前縁は側壁５５の前縁より少し奥側に引っ込んだ位置に設定され、受け部５２の突出寸法は解除部２２の前後長さ寸法とほぼ同じに設定されている。
【００２８】
受け部５２の前端には、図４及び図９に示すように、正面から見て略方形状をなす受け本体部５２Ａが設けられている。受け本体部５２Ａは、ムービングプレート５０の前面とほぼ平行に配されており、一部が挿通孔６４の正面から見た左下側に対向するように設定されている。受け本体部５２Ａの後面は、突出端側に行くに従って後方へ傾斜する逆テーパ面とされている。ムービングプレート５０が保持位置にあるときには、係止突起４４の係止領域４４Ｂの前面が受け本体部５２Ａの後面と互いの逆テーパ面を当接させ合うことで高い係止力を得ることができるようになっている。また、ムービングプレート５０が保持位置にあるときには、係止突起４４の解除領域４４Ａが挿通孔６４のうちの受け本体部５２Ａよりも上方に露出するようになっている。
【００２９】
フード部３５内に雌ハウジング１０が進入して雌ハウジング１０の解除部２２が係止突起４４の解除領域４４Ａに当接すると、解除部２２が解除流域のテーパ面に沿って摺動して係止本体４３が幅方向に撓み変形し、それとともに係止突起４４の係止領域４４Ｂが受け本体部５２Ａから解離する。その後、雌ハウジング１０が移動すると、弾性係合片５３が撓み変形してその係合突起５３Ａが第一係合受け部４５から外れ、保持位置にあるムービングプレート５０が保持解除位置への移動を開始する。ムービングプレート５０が保持解除位置に至ると、弾性係合片５３が弾性復元してその係合突起５３Ａを第二係合受け部４６に嵌め入れるとともに、係止部４２が解除部２２を乗り越えて解除部２２の後面側に弾性復元するようになっている。
【００３０】
次に、本実施形態の作用について説明する。まず、図７及び図９に示すように、雄ハウジング３０のフード部３５内にムービングプレート５０を挿入して保持位置に留め置く。保持位置におけるムービングプレート５０は、弾性係合片５３の係合突起５３Ａが第一係合受け部４５に嵌まりこむことで後方への抜け止めがなされるとともに、受け部５２が係止部４２の係止突起４４に係止されることでそれ以上前方への移動が規制される。
【００３１】
続いて、雄ハウジング３０のフード部３５内に雌ハウジング１０を進入させ、カム溝１４Ｅの入り口にフォロワピン３１が進入する程度に両ハウジング１０，３０を軽く嵌合させる。すると、雌ハウジング１０のハウジング本体１１の前面がムービングプレート５０の側壁５５内に嵌入するとともに、図１０に示すように、ハウジング本体１１の解除部２２がムービングプレート５０の挿通孔６４から前面に露出する係止突起４４の解除領域４４Ａに当接し、かつ、解除部２２が解除領域４４Ａのテーパ面に沿って摺動することにより、係止本体４３が撓み変形して係止突起４４が受け部５２から解離する。
【００３２】
この状態から雌ハウジング１０側に装着されたレバー１４を回動操作すると、フォロワピン３１がカム溝１４Ｅに沿って移動し、このフォロワピン３１の移動に伴って、雌ハウジング１０がフード部３５の奥方へと移動して両ハウジング１０，３０の嵌合動作が進行する。レバー１４の操作力は弾性係合片５３と第一係合受け部４５とによる係止力を上回るので、嵌合開始時、弾性係合片５３と第一係合受け部４５との係合状態が容易に解除される。レバー１４が回動終端位置まで回動すると、図８及び図１１に示すように、両ハウジング１０，３０が正規嵌合して両端子金具２５，３９の接続がとられるとともに、弾性係合片５３が復元してその係合突起５３Ａが第二係合受け部４６に進入し、かつ、ムービングプレート５０の後面がフード部３５の奥面に対面する。またこのとき、ムービングプレート５０の取付部５１の先端が端子収容部３３の案内溝４１の奥端に至るようになっている。
【００３３】
以上のように本実施形態においては、ムービングプレート５０がタブ４０の先端部に嵌合する保持位置にあるときには、ムービングプレート５０に設けられた受け部５２に、フード部３５の奥面から突出する係止部４２が弾性係合することで、ムービングプレート５０の保持解除位置への移動が規制されるから、セミロック構造よりも高い保持力を得ることができ、両ハウジング１０，３０の嵌合前に、保持位置におけるムービングプレート５０が不用意に保持解除位置へ移動するのを防止できる。
【００３４】
しかも、受け部５２は、ムービングプレート５０の前面の中央部に唯一つ設けられているにすぎないから、ムービングプレート５０の周縁部に複数の受け部５２を設けなくても、係止部４２との間にバランスのよい係止構造を実現できる。
一方、フード部３５内に雌ハウジング１０が進入することで、係止部４２が雌ハウジング１０の嵌合面に設けられた解除部２２と当接して受け部５２から解離する方向へ撓み変形されるから、係止部４２と受け部５２とによる係止状態を簡単に解除できる。
【００３５】
また、フード部３５の奥面には誤結防止部３２が突出して設けられ、係止部４２が誤結防止部３２と並んで配されて誤結防止部３２とともにムービングプレート５０に設けられた挿通孔６４を貫通するようになっているから、係止部４２と誤結防止部３２の双方が一つの挿通孔６４を共有でき、スペースの有効利用によりムービングプレート５０の小型化を図れる。
【００３６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態は、レバー式コネクタに適用した一例を示したが、本発明は、レバーを有しないコネクタにも適用できる。
（２）本発明においては、両ハウジングの嵌合開始時に、雌ハウジングの解除部がムービングプレートの前面中央部に設けられた係止部に当接して係止部を係止解除方向へ撓み変形させるような構成であればよく、例えば、係止部を挿通孔の孔縁に弾性係止させることが可能であれば、受け部を前方に突出した形態で設けなくてもよい。
（３）本発明においては、係止部が誤結防止部と並んで配されていたが、誤結防止部はなくてもよく、ムービングプレートには係止部を通すための挿通孔が開口していればよい。
【図面の簡単な説明】
【００３７】
【図１】本発明の実施形態１のコネクタの、雌ハウジングの正面図
【図２】雌ハウジングの側面図
【図３】ムービングプレートが装着された雄ハウジングの正面図
【図４】ムービングプレートの正面図
【図５】ムービングプレートの側面図
【図６】ムービングプレートの平面図
【図７】雌雄の両ハウジングが嵌合する前の側断面図
【図８】雌雄の両ハウジングが正規嵌合した状態の側断面図
【図９】雌雄の両ハウジングが嵌合する前の横断面図
【図１０】雌雄の両ハウジングが嵌合し始めて係止部が撓み変形した状態の横断面図
【図１１】雌雄の両ハウジングが正規嵌合した状態の横断面図
【符号の説明】
【００３８】
１０…雌ハウジング
２２…解除部
２５…雌端子金具
３０…雄ハウジング
３５…フード部
３９…雄端子金具
４０…タブ
４２…係止部
４４…係止突起
５０…ムービングプレート
５２…受け部
【図１】
2006172825.tif 000003
【図２】
2006172825.tif 000004
【図３】
2006172825.tif 000005
【図４】
2006172825.tif 000006
【図５】
2006172825.tif 000007
【図６】
2006172825.tif 000008
【図７】
2006172825.tif 000009
【図８】
2006172825.tif 000010
【図９】
2006172825.tif 000011
【図１０】
2006172825.tif 000012
【図１１】
2006172825.tif 000013